(57)【特許請求の範囲】
【請求項１】
浴槽と、浴槽を落とし込む開口部を有すると共に浴槽を保持する浴槽側床ハーフと、浴槽エプロン面を形成する立上り壁と、立上り壁の下端部に隣接して設置される洗い場側床ハーフとを備えた浴室ユニットであって、洗い場側床ハーフの立上り壁側の一辺と隣合う一辺に沿ってドア枠を載せるドア枠載置部を形成すると共に、立上り壁の壁面部分に浴槽エプロン面よりも浴槽側に向けて凹んだ凹み部を形成し、該凹み部がドア枠載置部の一部を構成していることを特徴とする浴室ユニット。
【請求項２】
洗い場側床ハーフと浴槽側床ハーフとを分割すると共に、この分割面をシール用テープでシールして成ることを特徴とする請求項１記載の浴室ユニット。
【請求項３】
洗い場側床ハーフと浴槽側床ハーフとが当接して横方向の移動が阻止されていると共に、浴槽側床ハーフと洗い場側床ハーフとが連結プレートにより上下方向に連結されていることを特徴とする請求項２記載の浴室ユニット。
【発明の詳細な説明】
【０００１】
【発明の属する技術分野】
本発明は、浴室ユニットに関し、詳しくはドア開口面を広げる技術に関するものである。
【０００２】
【従来の技術】
従来の浴室ユニットとして、浴槽と、浴槽を落とし込む開口部を有すると共に浴槽を保持する浴槽側床ハーフと、浴槽エプロン面を形成する立上り壁と、立上り壁の下端部に隣接して設置される洗い場側床ハーフとを備えたものが知られている。
【０００３】
ところで、近年は、浴室ユニットにおける入り口の段差をなくすと共に、その浴室ドアも折れ戸や開き戸と比較して、特に高齢者にやさしい引き戸が好まれている。
【０００４】
引き戸は折れ戸や開き戸よりも大きなスペースが必要であるが、従来のような床ハーフの構造では、引き戸の取り付け幅が限定されていた。例えば図４に示すような浴槽入れ子式の床ハーフにあっては、規格化された浴槽１を入れ込むために大きなドア乗せ寸法Ａを確保することは困難であった。図中の４は洗い場床パン、１２はカウンター部である。
【０００５】
【発明が解決しようとする課題】
本発明は上記の点に鑑みてなされたものであり、その目的とするところは、浴槽入れ子式の床ハーフであっても、浴槽の規格を変えることなく、必要なドア乗せ寸法が得られ、ドア開口面（入り口）を広げることができるようにした浴室ユニットを提供するにあり、また他の目的とするところは、分割型床ハーフの場合でも防水性及び嵌合性を高めることができる浴室ユニットを提供するにある。
【０００６】
【課題を解決するための手段】
上記課題を解決するために本発明は、浴槽１と、浴槽１を落とし込む開口部２を有すると共に浴槽１を保持する浴槽側床ハーフ４と、浴槽エプロン面５を形成する立上り壁６と、立上り壁６の下端部に隣接して設置される洗い場側床ハーフ３とを備えた浴室ユニットであって、洗い場側床ハーフ３の立上り壁６側の一辺と隣合う一辺３ａに沿ってドア枠を載せるドア枠載置部９を形成すると共に、立上り壁６の壁面部分に浴槽エプロン面５よりも浴槽１側に向けて凹んだ凹み部８を形成し、該凹み部８がドア枠載置部９の一部を構成したことを特徴としており、このように構成することで、ドア枠載置部９を浴槽エプロン面５よりも凹み部８の分だけ側方（浴槽１側）に突出させることができ、ドア開口面を従来よりも広げることができ、浴槽入れ子式の床ハーフであっても、浴槽１の規格を変えることなく、必要なドア枠乗せ寸法Ａが得られるようになる。
【０００７】
また上記洗い場側床ハーフ３と浴槽側床ハーフ４とを分割すると共に、この分割面をシール用テープ１０でシールするのが好ましく、この場合、洗い場側床ハーフ３と浴槽側床ハーフ４とを分割することで、床ハーフの搬入性を改善できると共に、浴室ユニット７全体を強度的に強くすることができ、さらに分割された床ハーフの分割面をシール用テープ１０でシールすることによって、分割面の防水性を高めることができる。
【０００８】
また上記洗い場側床ハーフ３と浴槽側床ハーフ４とが当接して横方向の移動が阻止されていると共に、浴槽側床ハーフ４と洗い場側床ハーフ３とが連結プレート１１により上下方向に連結されているのが好ましく、この場合、分割型床ハーフ間に段差やズレ等が生じないようにして強固に組み立てることができる。
【０００９】
【発明の実施の形態】
以下、本発明の実施の形態を説明する。
【００１０】
浴室ユニット７は、浴槽入れ子式の分割型床ハーフからなり、図１、図２に示すように、浴槽１（図５）と、浴槽１を落とし込む開口部２を有すると共に浴槽１を保持する浴槽側床ハーフ４と、浴槽エプロン面５を形成する立上り壁６と、立上り壁６の下端部に連接される洗い場側床ハーフ３とを備えている。
【００１１】
洗い場側床ハーフ３の立上り壁６側の一辺と隣合う一辺３ａ（カウンター部１２側の一辺と反対側の一辺）に沿って、ドア枠（図示せず）を載せるドア枠載置部９が形成されている。また、ドア枠載置部９と対向する立上り壁６の壁面部分には、浴槽エプロン面５よりも浴槽側に向けて凹んだ平面視略Ｌ字状の凹み部８が形成されており、この凹み部８がドア枠載置部９の一部を構成している。さらに浴槽側床ハーフ４には、上記凹み部８と対応する位置に凹み部８と略同形状の平面視略Ｌ字状の切り欠き１３が形成されており、このように立上り壁６及び浴槽側床ハーフ４の一部を切り欠く形状とすることによって、規格化された浴槽を入れ込むことができる構造でありながら、必要なドア乗せ寸法Ａが得られるようになっている。
【００１２】
また、洗い場側床ハーフ３から立ち上がる立上り壁６の上端部には、浴槽側床ハーフ４の側面が当たる当接部１５が設けられており、浴槽側床ハーフ４が横方向に移動するのを阻止できるようになっている。また、浴槽側床ハーフ４の切り欠き１３内には、立上り壁６の凹み部８に形成された浴槽側床ハーフ載置面１４に載置される突起部５０が突設されており、洗い場側床ハーフ３と浴槽側床ハーフ４とが上下方向に嵌合できるようになっている。さらに浴槽側床ハーフ４と洗い場側床ハーフ３とは、図１に示す連結プレート１１を用いて上下方向に連結されており、分割型床ハーフ間の接合強度がより高められている。
【００１３】
さらに、洗い場側床ハーフ３と浴槽側床ハーフ４との分割面はシール用テープ１０でシールされている。本実施形態では、１枚のシール用テープ１０が立上り壁６の上端部に設けられた当接部１５の内面から、立上り壁６の凹み部８に設けられた浴槽側床ハーフ載置面１４に亘って連続して貼着されている。
【００１４】
しかして、洗い場側床ハーフ３の立上り壁６側の一辺と隣合う一辺３ａに沿ってドア枠を載せるドア枠載置部９を形成すると共に、立上り壁６の壁面部分に浴槽エプロン面５よりも浴槽１側に向けて凹んだ凹み部８を形成し、該凹み部８をドア枠載置部９の一部としたから、ドア枠載置部９を浴槽エプロン面５よりも凹み部８の分だけ側方（浴槽１側）に突出させることができ、ドア開口面を従来よりも広げることができる。
【００１５】
また、分割型床ハーフにおいて、分割ラインを直線にするのではなく、立上り壁６の一部に凹み部８を設けることで、この凹み部８によって幅の広い引き戸を取り付けることが可能となる。しかも、立上り壁６の一部とこれに対応する浴槽側床ハーフ４の一部を切り欠く形状とするだけでよいので、浴槽入れ子式床ハーフにおいて浴槽１の規格を変えることなく、必要なドア枠乗せ寸法Ａが得られるようになる。また、洗い場側床ハーフ３と浴槽側床ハーフ４とを分割することで、搬入から施工までの時間を短縮でき、床ハーフの搬入性を改善できると共に、浴室ユニット７全体を強度的に強くすることができる。ちなみに、浴槽側床ハーフ４と洗い場側床ハーフ３が一体成形品の場合、成形品の大型化によって搬入に時間がかかり、また全体の強度が低下するという問題があるが、分割型とすることで、上記問題は生じなくなる。しかも、この分割された床ハーフの分割面を１本のシール用テープ１０でシールしているので、両床ハーフ間の分割面の防水性を高めることができる。このようにシール用テープ１０を途中で切断しない１本のものを使用することで、防水性がより高まり、水漏れ防止に一層効果的となる。
【００１６】
さらに、洗い場側床ハーフ３から立ち上がる立上り壁６の上端部には、浴槽側床ハーフ４の側面が当たる当接部１５が設けられているので、浴槽側床ハーフ４が横方向に移動するのを阻止でき、また、浴槽側床ハーフ４の切り欠き１３内には、立上り壁６の凹み部８に形成された浴槽側床ハーフ載置面１４に載置される突起部５０が突設されているので、洗い場側床ハーフ３と浴槽側床ハーフ４とが上下方向に嵌合できるようになり、これにより洗い場側床ハーフ３と浴槽側床ハーフ４との水平方向の移動、ズレを確実に阻止できるものとなる。またこのように洗い場側床ハーフ３と浴槽側床ハーフ４とを横方向と上下方向とにそれぞれ嵌合させることによって、上記シール用テープ１０が上下方向及び横方向に圧縮されることとなり、防水性が一層向上する。さらに分割型床ハーフに必要とされる横方向と上下方向の２面での接合に加えて、浴槽側床ハーフ４と洗い場側床ハーフ３とは連結プレート１１を用いて上下方向に連結されているので、結果として分割型床ハーフ間に段差やズレ等が生じないようにしてより強固に組み立てることが可能となる。
【００１７】
【発明の効果】
上記のように請求項１記載の発明は、浴槽と、浴槽を落とし込む開口部を有すると共に浴槽を保持する浴槽側床ハーフと、浴槽エプロン面を形成する立上り壁と、立上り壁の下端部に隣接して設置される洗い場側床ハーフとを備えた浴室ユニットであって、洗い場側床ハーフの立上り壁側の一辺と隣合う一辺に沿ってドア枠を載せるドア枠載置部を形成すると共に、立上り壁の壁面部分に浴槽エプロン面よりも浴槽側に向けて凹んだ凹み部を形成し、該凹み部がドア枠載置部の一部を構成しているから、ドア枠載置部を浴槽エプロン面よりも側方（浴槽側）に突出させることによって、凹み部の分だけドア開口面を従来よりも広げることができる。従って、浴槽入れ子式の床ハーフであっても、浴槽の規格を変えることなく、必要なドア枠乗せ寸法が得られるものである。
【００１８】
また請求項２記載の発明は、請求項１記載の効果に加えて、洗い場側床ハーフと浴槽側床ハーフとを分割すると共に、この分割面をシール用テープでシールして成るから、洗い場側床ハーフと浴槽側床ハーフとを分割することで、搬入から施工までの時間を短縮でき、床ハーフの搬入性を改善できると共に、浴室ユニット全体を強度的に強くすることができ、さらに分割された床ハーフの分割面をシール用テープでシールすることによって、両床ハーフ間の分割面の防水性を高めることができる。
【００１９】
また請求項３記載の発明は、請求項２記載の効果に加えて、洗い場側床ハーフと浴槽側床ハーフとが当接して横方向の移動が阻止されていると共に、浴槽側床ハーフと洗い場側床ハーフとが連結プレートにより上下方向に連結されているから、洗い場側床ハーフと浴槽側床ハーフとの当接によって横方向への移動が阻止され、且つ浴槽側床ハーフと洗い場側床ハーフとは連結プレートにより上下方向に連結されるので、分割型床ハーフ間に段差やズレ等が生じないようにして強固に組み立てることができ、結果として分割型床ハーフに必要とされる横方向と上下方向の２面での強固な嵌合構造を実現できる。
【図面の簡単な説明】
【図１】本発明の実施形態の一例を示す斜視図である。
【図２】同上の分割型床ハーフの組み立て状態の斜視図である。
【図３】同上のシール用テープの貼着状態を説明する斜視図である。
【図４】従来例の斜視図である。
【符号の説明】
１  浴槽
２  開口部
３  洗い場側床ハーフ
３ａ  一辺
４  浴槽側床ハーフ
５  浴槽エプロン面
６  立上り壁
８  凹み部
９  ドア枠載置部
１０  シール用テープ
１１  連結プレート
【図１】
0003546702.tif 000002
【図２】
0003546702.tif 000003
【図３】
0003546702.tif 000004
【図４】
0003546702.tif 000005